(57)【特許請求の範囲】
【請求項１】
露光用開口を有し外周に周壁を形成された地板と、
露光用開口を有し外周に前記地板の周壁と組み合うようにして周壁を形成された羽根押え板と、
前記地板と羽根押え板との間に羽根を組み込む羽根空間を形成し、前記地板および前記羽根押え板の周壁より内側の該羽根空間中へ向け、一方側が周壁に比して高く他方側が周壁に比して低くなるようそれぞれ一体形成された複数個の組立ポストと、
前記組立ポストの少なくとも周壁に比して高い側の該ポストから前記周壁に沿って該ポストと同一高さに張り出すよう形成された遮光突起とを備え、
前記シャッタ地板の周壁と前記羽根押え板の周壁とを互いに重ね組み合わせるとともに
、前記遮光突起により前記羽根空間中への外光の直接入射を阻止し遮光するようにしたこと
を特徴とするカメラ用シャッタ。
【発明の詳細な説明】
【０００１】
【発明の属する技術分野】
本発明はカメラ用シャッタに関し、特に所謂レンズシャッタの遮光構造に関する。
【０００２】
【従来の技術】
周知のように、”レンズシャッタ”として知られるカメラ用シャッタは、図５及び図６に示すように、中心部に露光用開口Ａを形成された円板状のシャッタ地板Ｂに組み付けられる。即ち、樹脂成形されるシャッタ地板Ｂとこのシャッタ地板Ｂの表面を覆う羽根押え板Ｃとの間には露光用開口Ａを開閉する一対のシャッタ羽根Ｄ1 ，Ｄ2 を組み込める羽根空間Ｅが形成され、同羽根空間Ｅはシャッタ地板Ｂ及び羽根押え板Ｃの内面の外周部に一体成形する複数の組立ポストｂ1 及び組立ポストｃ1 を固定ねじＦで固定することにより維持される。つまり、図５から理解されるように、これらの組立ポストｂ1 及び組立ポストｃ1 は、それぞれ支持軸Ｇ1 ，Ｇ2 を支点として回動操作される両シャッタ羽根Ｄ1 ，Ｄ2 の運動軌跡から離れた位置に配置されるもので、これらの組立ポストｂ1 及び組立ポストｃ1 の相互間は、シャッタ地板Ｂ及び羽根押え板Ｃの外周にそれぞれ一体成形する円弧状の周壁ｂ2 と周壁ｃ2 の先端部を噛み合わせることにより、外光の内部への入射が阻止される。
【０００３】
したがって、このような構造のカメラ用シャッタの組立時にあっては、シャ
ッタ羽根Ｄ1 ，Ｄ2 を羽根空間Ｅの内部に組み込んだ後、図６（ａ），（ｂ）に示すように、対応する組立ポストｂ1 と組立ポストｃ1 を突き合わせ状態におき、固定ねじＦによりシャッタ地板Ｂと羽根押え板Ｃとの間を固定することにより組み立てられる。この組立状態では、シャッタ地板Ｂの周壁ｂ2 の先端と羽根押え板Ｃの周壁ｃ2 の先端とを互いに噛み合わせることにより、羽根空間Ｅ中への外光の直接入射が防止されることになる。
【０００４】
【発明が解決しようとする課題】
しかしながら、このようなカメラ用シャッタの従来の遮光構造では、図６（ａ）に示すように、シャッタ地板Ｂの組立ポストｂ1 の外面と羽根押え板Ｃの周壁ｃ2 の端面との間に小さなスリットＳが形成され、外部に直接に開放された同スリットＳを通って外光が羽根空間Ｅの内部へ入射して、光線漏れの原因となっている。
【０００５】
本発明の目的は、以上に述べたような従来のカメラ用シャッタの問題に鑑み、組立ポストの外面と相手側周壁との間に形成されるスリットＳから外光が内部へ入射することのないカメラ用シャッタを得るにある。
【０００６】
【課題を解決するための手段】
この目的を達成するため、本発明は、露光用開口を有し外周に周壁を形成された地板と、露光用開口を有し外周に前記地板の周壁と組み合うようにして周壁を形成された羽根押え板と、前記地板と羽根押え板との間に羽根を組み込む羽根空間を形成し、前記地板および前記羽根押え板の周壁より内側の該羽根空間中へ向け、一方側が周壁に比して高く他方側が周壁に比して低くなるようそれぞれ一体形成された複数個の組立ポストと、前記組立ポストの少なくとも周壁に比して高い側の該ポストから前記周壁に沿って該ポストと同一高さに張り出すよう形成された遮光突起とを備え、前記シャッタ地板の周壁と前記羽根押え板の周壁とを互いに重ね組み合わせるとともに、前記遮光突起により前記羽根空間中への外光の直接入射を阻止し遮光するようにしたカメラ用シャッタを提供することにある。
【０００７】
後述する本発明の好ましい実施例の説明においては、1)前記組立ポストの前記周壁隣接部に遮光突起を一体成形し、同遮光突起に臨んで相手側組立ポストの対応部に一体形成した拡張部を同遮光突起の端面に接触させる構造、2)露光用開口を形成したシャッタ地板と該シャッタ地板の表面を覆う羽根押え板との間にシャッタ羽根を組み込む羽根空間を形成し、これらのシャッタ地板及び羽根押え板を組み付ける組立ポストをこれらの少なくとも一方の外周部内面に一体成形すると共に、前記シャッタ地板及び前記羽根押え板の周壁を互いに噛み合わせた状態として遮光を行うようにされていて、前記組立ポストの前記周壁隣接部に同周壁と同一高さの遮光突起を一体成形し、同遮光突起の存在により前記羽根空間中への外光の直接入射を阻止する構造が説明される。
【０００８】
【発明の実施の形態】
以下、図１から図４について本発明の実施例の詳細を説明する。図１及び図２は本発明の第１実施例によるカメラ用シャッタを示し、中心部に露光用開口１Ａを形成された円板状のシャッタ地板２Ａとこのシャッタ地板２Ａの表面を覆う羽根押え板３Ａとの間には羽根空間４Ａが形成される。
【０００９】
即ち、この羽根空間４Ａ中には露光用開口１Ａを開閉する一対のシャッタ羽根５Ａ，６Ａが組み込まれ、シャッタ地板２Ａと羽根押え板３Ａとの間隔はシャッタ地板２Ａ及び羽根押え板３Ａの内面の外周部に一体成形する複数の組立ポスト２ａ及び組立ポスト３ａで維持され、シャッタ地板２Ａと羽根押え板３Ａはこれらの組立ポスト２ａと組立ポスト３ａの間を連結する固定ねじ７Ａで固定される。そして、前記シャッタ地板２Ａ及び羽根押え板３Ａにはこれらの組立ポスト２ａ及び組立ポスト３ａの相互を継なぐ円弧状の周壁２ｂ及び周壁３ｂがそれぞれ一体成形され、これらの周壁２ｂ及び周壁３ｂの先端部を噛み合わせることにより、外光の内部への入射が阻止される。
【００１０】
第１実施例の場合、シャッタ地板２Ａの各組立ポスト２ａの前記周壁２ｂに対する隣接部には前記羽根空間４Ａ中に張り出す一対の遮光突起８Ａが一体成形され、組立ポスト２ａと同一の高さをもつこれらの遮光突起８Ａは、羽根押え板３Ａの組立ポスト３ａの対応部分に一体成形する拡張部９Ａにそれぞれ突き当てられる。
【００１１】
第１実施例によるカメラ用シャッタは、以上のような構造であるから、複数の固定ねじ７Ａでシャッタ地板２Ａと羽根押え板３Ａとを組み立てる場合、図２に示すように、シャッタ地板２Ａの組立ポスト２ａの端面が羽根押え板３Ａの対応する組立ポスト３ａの端面に突き当てられる。この場合、遮光突起８Ａは組立ポスト２ａと同一の高さとされ、また、拡張部９Ａも組立ポスト３ａと同一の高さとされているから、組立ポスト２ａに対する組立ポスト３ａの突き当てに伴って、各遮光突起８Ａの端面が対応する拡張部９Ａの端面にそれぞれ密着される。
【００１２】
したがって、シャッタ地板２Ａの組立ポスト２ａの外面と羽根押え板３Ａの近接した端面との間に形成されるスリット１０Ａと羽根空間４Ａの間に、遮光突起８Ａが介在位置されることになるから、スリット１０Ａの直接開放による光線漏れを解消できる。勿論、これらの遮光突起８Ａ及び拡張部９Ａはシャッタ地板２Ａ及び羽根押え板３Ａの金型加工だけで付加できるから、これらの遮光突起８Ａ及び拡張部９Ａにより製造原価が割高となることもない。
【００１３】
図３及び図４は本発明の第２実施例によるカメラ用シャッタを示し、中心部に露光用開口１Ｂを形成された円板状のシャッタ地板２Ｂとこのシャッタ地板２Ｂの表面を覆う羽根押え板３Ｂとの間には前記露光用開口１Ｂを開閉する一対のシャッタ羽根５Ｂ，６Ｂを組み込める羽根空間４Ｂが第１実施例と同様に形成される。そして、シャッタ地板２Ｂと羽根押え板３Ｂとの間はシャッタ地板２Ｂ及び羽根押え板３Ｂの内面の外周部に一体成形する複数の組立ポスト２ａ及び組立ポスト３ａで維持されるが、シャッタ地板２Ｂと羽根押え板３Ｂの間は複数の固定ねじ７Ｂで固定され、前述した組立ポスト２ａ及び組立ポスト３ａの相互を継なぐ円弧状の周壁２ｂ及び周壁３ｂで遮光されることになる。
【００１４】
また、第２実施例の場合、シャッタ地板２Ｂの各組立ポスト２ａの前記周壁２ｂに対する隣接部には前記羽根空間４Ｂ中に張り出す一対の遮光突起８Ｂが組立ポスト２ａと同一高さで一体成形され、これらの遮光突起８Ｂにより、外部への羽根空間４Ｂの直接露呈を防止した点に特徴がある。
【００１５】
第２実施例によるカメラ用シャッタは、以上のような構造であるから、複数の固定ねじ７Ｂでシャッタ地板２Ｂと羽根押え板３Ｂとを組み立てる場合、図４に示すように、シャッタ地板２Ｂの組立ポスト２ａの端面が羽根押え板３Ｂの対応する組立ポスト３ａの端面に突き当てられることになる。この場合、シャッタ地板２Ｂの組立ポスト２ａの外面と羽根押え板３Ｂの近接した端面との間に形成されるスリット１０Ｂと羽根空間４Ｂの間に、遮光突起８Ｂが介在位置されることになるから、羽根空間４Ｂは同遮光突起８Ｂで迂回した状態でスリット１０Ｂに対して連絡するから、スリット１０Ｂの直接開放による光線漏れを解消できる。
【００１６】
【発明の効果】
以上の説明から明らかなように、本発明によれば、組立ポストの周壁に対する隣接部に遮光突起を成形するだけで、組立ポストと周壁の間に形成されるスリットからの羽根空間の直接開放を阻止して、同スリットからの光線漏れを防止できる。
【図面の簡単な説明】
【図１】本発明の第１実施例によるカメラ用シャッタの一部切欠き要部拡大平面図である。
【図２】同カメラ用シャッタの要部拡大上面図である。
【図３】本発明の第２実施例によるカメラ用シャッタの一部切欠き要部拡大平面図である。
【図４】同カメラ用シャッタの要部拡大上面図である。
【図５】従来のカメラ用シャッタの平面図である。
【図６】（ａ），（ｂ）は同カメラ用シャッタの上面図及び図５のＡ−Ａ線に沿う断面図である。
【符号の説明】
１Ａ，１Ｂ露光用開口
２Ａ，２Ｂシャッタ地板
２ａ組立ポスト
２ｂ周壁
３Ａ，３Ｂ羽根押え板
３ａ組立ポスト
３ｂ周壁
４Ａ，４Ｂ羽根空間
５Ａ，５Ｂ，６Ａ，６Ｂシャッタ羽根
７Ａ，７Ｂ固定ねじ
８Ａ，８Ｂ遮光突起
９Ａ拡張部
１０Ａ，１０Ｂスリット
【図１】
0004401459.tif 000002
【図２】
0004401459.tif 000003
【図３】
0004401459.tif 000004
【図４】
0004401459.tif 000005
【図５】
0004401459.tif 000006
【図６】
0004401459.tif 000007